(57)【要約】【課題】本発明は家庭用子供の画板を開示した。【解決手段】第一画板を含み、前記第一画板の左側端面には左方に開口した第一引っ掛かり溝が設置され、前記第一画板の右側端面には第二引っ掛かりブロックが固定的に取り付けられ、前記第一画板の左右両側には第二画板が設置され、第一画板を推し動かして下方へ移動させる時、最初に左右の第二画板を引き動かして互いに離れさせ、その後、第一画板を推し動かして下方へ移動させ、次に左右の第二画板を推し動かして互いに近づかせ、この時、推し動かしブロックがバネチャンバの中でスライドし、図画用具を置き機構の中に置くことができ、それによって図画用具をなくすことを防止でき、また画板の大きさを調整することは第一画板の昇降によって実現されることができ、画板を貯蔵する時、画板に占められるスペースを減少し、傾斜機構によって画板の傾斜角度を調整することもできる。【選択図】図１
2020183096.tif 000002
【特許請求の範囲】
【請求項１】
正面視で、第一画板を含み、前記第一画板の左側端面には左方に開口した第一引っ掛かり溝が設置され、前記第一画板の右側端面には第二引っ掛かりブロックが固定的に取り付けられ、前記第一画板の左右両側には第二画板が設置され、前記第二画板の底部端面には固定ブロックが固定的に取り付けられ、左側の前記第二画板の右側端面には第一引っ掛かりブロックが固定的に取り付けられ、前記第一引っ掛かりブロックは前記第一引っ掛かり溝の中に引っ掛かることができ、右側の前記第二画板の左側端面の中には左方に開口した第二引っ掛かり溝が設置され、前記第二引っ掛かりブロックは前記第二引っ掛かり溝の中に引っ掛かることができ、前記第一引っ掛かりブロックが前記第一引っ掛かり溝の中に引っ掛かっており、また前記第二引っ掛かりブロックが前記第二引っ掛かり溝の中に引っ掛かった時、左右の前記第二画板と前記第一画板とが一つの大きな画板を形成し、前記第一引っ掛かりブロックも前記第二引っ掛かり溝の中に引っ掛かることができ、左右の前記第二画板が互いに比較的に小さい画板を形成し、前記第一画板の下方には前記第一画板の昇降を制御できる昇降機構が設置され、前記昇降機構は前記第一画板の底部端面に固定的に取り付けられた第一固定板を含み、前記第一固定板の下方には補助ロッドが設置され、前記補助ロッドには回転ロッドが前後対称的に回転できるように取り付けられ、前記回転ロッドのうち前記補助ロッドの両側に位置しているところには回転チャンバが設置され、前記回転チャンバの中には移動ロッドがスライドできるように取り付けられ、上側の前記移動ロッドが前記第一固定板とヒンジで取り付けられ、下側の前記移動ロッドには第二固定板がヒンジで取り付けられ、前記第一画板の位置の高さを調整する時、前記移動ロッドが前記回転チャンバの中でスライドし、また前後の前記回転ロッドの回転が前記第一画板の昇降を制御し、左側の前記第二画板の前側には図画用具を置くことができる置き機構が設置され、前記固定ブロックの中には前記第二画板の傾斜角度を調整できる傾斜機構が設置され、前記傾斜機構は前記固定ブロックの中に設置された噛み合いチャンバを含み、前記噛み合いチャンバの後側内壁の中には前記固定ブロックの後側端面を貫通しているつまみロッドが回転できるように取り付けられ、前記つまみロッドの後側端面にはつまみが固定的に取り付けられ、前記つまみを回すことによって前記第二画板の傾斜角度を調整することを特徴とする家庭用子供の画板。
【請求項２】
前記昇降機構はまた左側の前記固定ブロックに固定的に取り付けられた連結ブロックを含み、前記連結ブロックの中にはスライド溝が設置され、前記スライド溝の中にはスライドブロックがスライドできるように取り付けられ、前記スライドブロックの右側端面にはスライドロッドが固定的に取り付けられ、前記スライドロッドが右側の前記固定ブロックと固定的に連結され、前記スライドブロックの右側端面と前記スライド溝の右側内壁との間には第一バネが固定的に取り付けられ、前記第二画板の底部端面には補助板が固定的に取り付けられ、前記補助板の中には連結溝が設置され、前記連結溝の下方には挿入溝が連通するように設置され、前記挿入溝の下方には移動溝が連通するように設置され、左右の前記移動溝の間には移動ブロックがスライドできるように取り付けられ、前記移動ブロックの中にはバネチャンバが左右対称的に設置され、前記バネチャンバの中には推し動かしブロックがスライドできるように取り付けられ、前記推し動かしブロックが前記固定ブロックと当接しており、前記推し動かしブロックと前記バネチャンバとの間には第二バネが固定的に取り付けられ、前記移動ブロックの頂部端面には補助ブロックが固定的に取り付けられ、前記補助ブロックが前記第二固定板と固定的に連結されていることを特徴とする請求項１に記載の家庭用子供の画板。
【請求項３】
前記置き機構は左側の前記第二画板の前側端面に固定的に取り付けられた置き箱を含み、前記置き箱の中には第一置きチャンバが設置され、前記第一置きチャンバの中には拭き取りブロックが置かれており、前記拭き取りブロックの前側端面と前記第一置きチャンバの前側内壁との間には第一縄が固定的に取り付けられ、前記第一置きチャンバの右側には第二置きチャンバが設置され、前記第二置きチャンバの中には絵筆が置かれており、前記絵筆の前側端面と前記第二置きチャンバの前側内壁との間には第二縄が固定的に取り付けられていることを特徴とする請求項１に記載の家庭用子供の画板。
【請求項４】
前記傾斜機構はまた前記噛み合いチャンバの下方に設置された移動チャンバを含み、前記移動チャンバの中にはネジ山ブロックがスライドできるように取り付けられ、前記ネジ山ブロックの中には上方に開口したネジ穴が設置され、前記噛み合いチャンバと前記移動チャンバとの間にはネジロッドが回転できるように取り付けられ、前記ネジロッドが前記ネジ穴とネジ山によって取り付けられ、前記ネジロッドの頂部端面には第一ベベルギヤが固定的に取り付けられ、前記つまみロッドの前側端面には第二ベベルギヤが固定的に取り付けられ、前記第二ベベルギヤが前記第一ベベルギヤと噛み合っており、前記固定ブロックの底部端面には定位溝が設置され、前記定位溝の中には定位ブロックが設置され、前記定位ブロックと前記ネジ山ブロックとの間にはヒンジロッドがヒンジによって取り付けられていることを特徴とする請求項１に記載の家庭用子供の画板。
【発明の詳細な説明】
【技術分野】
【０００１】
本発明は文具分野に関わり、具体的には家庭用子供の画板である。
【背景技術】
【０００２】
普通の家庭用子供の画板は大きさを調整することができなく、それで画板を貯蔵する時、画板に占められるスペースを減少できなく、また普通の画板を使う時、画板の角度を調整するのは難しく、その他、普通の画板が図画用具を置くところはないため、図画用具をなくす可能性がある。
【先行技術文献】
【特許文献】
【０００３】
【特許文献１】中国特許出願公開第１０６７３９７６１号明細書
【発明の概要】
【発明が解決しようとする課題】
【０００４】
本発明は家庭用子供の画板を提供し、既存技術にある上記欠点を解消することを目的とする。
【課題を解決するための手段】
【０００５】
本発明の実施例の家庭用子供の画板は、第一画板を含み、前記第一画板の左側端面には左方に開口した第一引っ掛かり溝が設置され、前記第一画板の右側端面には第二引っ掛かりブロックが固定的に取り付けられ、前記第一画板の左右両側には第二画板が設置され、前記第二画板の底部端面には固定ブロックが固定的に取り付けられ、左側の前記第二画板の右側端面には第一引っ掛かりブロックが固定的に取り付けられ、前記第一引っ掛かりブロックは前記第一引っ掛かり溝の中に引っ掛かることができ、右側の前記第二画板の左側端面の中には左方に開口した第二引っ掛かり溝が設置され、前記第二引っ掛かりブロックは前記第二引っ掛かり溝の中に引っ掛かることができ、前記第一引っ掛かりブロックが前記第一引っ掛かり溝の中に引っ掛かっており、また前記第二引っ掛かりブロックが前記第二引っ掛かり溝の中に引っ掛かった時、左右の前記第二画板と前記第一画板とが一つの大きな画板を形成し、前記第一引っ掛かりブロックも前記第二引っ掛かり溝の中に引っ掛かることができ、左右の前記第二画板が互いに比較的に小さい画板を形成し、前記第一画板の下方には前記第一画板の昇降を制御できる昇降機構が設置され、前記昇降機構は前記第一画板の底部端面に固定的に取り付けられた第一固定板を含み、前記第一固定板の下方には補助ロッドが設置され、前記補助ロッドには回転ロッドが前後対称的に回転できるように取り付けられ、前記回転ロッドのうち前記補助ロッドの両側に位置しているところには回転チャンバが設置され、前記回転チャンバの中には移動ロッドがスライドできるように取り付けられ、上側の前記移動ロッドが前記第一固定板とヒンジで取り付けられ、下側の前記移動ロッドには第二固定板がヒンジで取り付けられ、前記第一画板の位置の高さを調整する時、前記移動ロッドが前記回転チャンバの中でスライドし、また前後の前記回転ロッドの回転が前記第一画板の昇降を制御し、左側の前記第二画板の前側には図画用具を置くことができる置き機構が設置され、前記固定ブロックの中には前記第二画板の傾斜角度を調整できる傾斜機構が設置され、前記傾斜機構は前記固定ブロックの中に設置された噛み合いチャンバを含み、前記噛み合いチャンバの後側内壁の中には前記固定ブロックの後側端面を貫通しているつまみロッドが回転できるように取り付けられ、前記つまみロッドの後側端面にはつまみが固定的に取り付けられ、前記つまみを回すことによって前記第二画板の傾斜角度を調整する。
【０００６】
さらなる技術プランには、前記昇降機構はまた左側の前記固定ブロックに固定的に取り付けられた連結ブロックを含み、前記連結ブロックの中にはスライド溝が設置され、前記スライド溝の中にはスライドブロックがスライドできるように取り付けられ、前記スライドブロックの右側端面にはスライドロッドが固定的に取り付けられ、前記スライドロッドが右側の前記固定ブロックと固定的に連結され、前記スライドブロックの右側端面と前記スライド溝の右側内壁との間には第一バネが固定的に取り付けられ、前記第二画板の底部端面には補助板が固定的に取り付けられ、前記補助板の中には連結溝が設置され、前記連結溝の下方には挿入溝が連通するように設置され、前記挿入溝の下方には移動溝が連通するように設置され、左右の前記移動溝の間には移動ブロックがスライドできるように取り付けられ、前記移動ブロックの中にはバネチャンバが左右対称的に設置され、前記バネチャンバの中には推し動かしブロックがスライドできるように取り付けられ、前記推し動かしブロックが前記固定ブロックと当接しており、前記推し動かしブロックと前記バネチャンバとの間には第二バネが固定的に取り付けられ、前記移動ブロックの頂部端面には補助ブロックが固定的に取り付けられ、前記補助ブロックが前記第二固定板と固定的に連結されている。
【０００７】
さらなる技術プランには、前記置き機構は左側の前記第二画板の前側端面に固定的に取り付けられた置き箱を含み、前記置き箱の中には第一置きチャンバが設置され、前記第一置きチャンバの中には拭き取りブロックが置かれており、前記拭き取りブロックの前側端面と前記第一置きチャンバの前側内壁との間には第一縄が固定的に取り付けられ、前記第一置きチャンバの右側には第二置きチャンバが設置され、前記第二置きチャンバの中には絵筆が置かれており、前記絵筆の前側端面と前記第二置きチャンバの前側内壁との間には第二縄が固定的に取り付けられている。
【０００８】
さらなる技術プランには、前記傾斜機構はまた前記噛み合いチャンバの下方に設置された移動チャンバを含み、前記移動チャンバの中にはネジ山ブロックがスライドできるように取り付けられ、前記ネジ山ブロックの中には上方に開口したネジ穴が設置され、前記噛み合いチャンバと前記移動チャンバとの間にはネジロッドが回転できるように取り付けられ、前記ネジロッドが前記ネジ穴とネジ山によって取り付けられ、前記ネジロッドの頂部端面には第一ベベルギヤが固定的に取り付けられ、前記つまみロッドの前側端面には第二ベベルギヤが固定的に取り付けられ、前記第二ベベルギヤが前記第一ベベルギヤと噛み合っており、前記固定ブロックの底部端面には定位溝が設置され、前記定位溝の中には定位ブロックが設置され、前記定位ブロックと前記ネジ山ブロックとの間にはヒンジロッドがヒンジによって取り付けられている。
【発明の効果】
【０００９】
本発明の有益な効果は：本発明は図画用具を置き機構の中に置くことができ、それによって図画用具をなくすことを防止でき、また画板の大きさを調整することは第一画板の昇降によって実現されることができ、画板を貯蔵する時、画板に占められるスペースを減少し、傾斜機構によって画板の傾斜角度を調整することもでき、普及する価値がある。
【図面の簡単な説明】
【００１０】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の構成概略図
【図２】図２は図１の中のＡ―Ａ方向の断面構成概略図
【図３】図３は図１の中のＢ―Ｂ方向の断面構成概略図
【図４】図４は図１の中のＣのところの拡大概略図
【発明を実施するための形態】
【００１２】
図１〜４を参照し、本発明の実施例の家庭用子供の画板は、第一画板２４を含み、前記第一画板１４の左側端面には左方に開口した第一引っ掛かり溝２５が設置され、前記第一画板２４の右側端面には第二引っ掛かりブロック２３が固定的に取り付けられ、前記第一画板２４の左右両側には第二画板１１が設置され、前記第二画板１１の底部端面には固定ブロック１２が固定的に取り付けられ、左側の前記第二画板１１の右側端面には第一引っ掛かりブロック２６が固定的に取り付けられ、前記第一引っ掛かりブロック２６は前記第一引っ掛かり溝２５の中に引っ掛かることができ、右側の前記第二画板１１の左側端面の中には左方に開口した第二引っ掛かり溝２２が設置され、前記第二引っ掛かりブロック２３は前記第二引っ掛かり溝２２の中に引っ掛かることができ、前記第一引っ掛かりブロック２６が前記第一引っ掛かり溝２５の中に引っ掛かっており、また前記第二引っ掛かりブロック２３が前記第二引っ掛かり溝２２の中に引っ掛かった時、左右の前記第二画板１１と前記第一画板２４とが一つの大きな画板を形成し、前記第一引っ掛かりブロック２６も前記第二引っ掛かり溝２２の中に引っ掛かることができ、左右の前記第二画板１１が互いに比較的に小さい画板を形成し、前記第一画板２４の下方には前記第一画板２４の昇降を制御できる昇降機構７０が設置され、前記昇降機構７０は前記第一画板２４の底部端面に固定的に取り付けられた第一固定板５４を含み、前記第一固定板５４の下方には補助ロッド５３が設置され、前記補助ロッド５３には回転ロッド４８が前後対称的に回転できるように取り付けられ、前記回転ロッド４８のうち前記補助ロッド５３の両側に位置しているところには回転チャンバ４９が設置され、前記回転チャンバ４９の中には移動ロッド５０がスライドできるように取り付けられ、上側の前記移動ロッド５０が前記第一固定板５４とヒンジで取り付けられ、下側の前記移動ロッド５０には第二固定板５１がヒンジで取り付けられ、前記第一画板２４の位置の高さを調整する時、前記移動ロッド５０が前記回転チャンバ４９の中でスライドし、また前後の前記回転ロッド４８の回転が前記第一画板２４の昇降を制御し、左側の前記第二画板１１の前側には図画用具を置くことができる置き機構８０が設置され、前記固定ブロック１２の中には前記第二画板１１の傾斜角度を調整できる傾斜機構９０が設置され、前記傾斜機構９０は前記固定ブロック１２の中に設置された噛み合いチャンバ３７を含み、前記噛み合いチャンバ３７の後側内壁の中には前記固定ブロック１２の後側端面を貫通しているつまみロッド３９が回転できるように取り付けられ、前記つまみロッド３９の後側端面にはつまみ４０が固定的に取り付けられ、前記つまみ４０を回すことによって前記第二画板１１の傾斜角度を調整する。
【００１３】
前記昇降機構７０はまた左側の前記固定ブロック１２に固定的に取り付けられた連結ブロック１３を含み、前記連結ブロック１３の中にはスライド溝１４が設置され、前記スライド溝１４の中にはスライドブロック１７がスライドできるように取り付けられ、前記スライドブロック１７の右側端面にはスライドロッド１９が固定的に取り付けられ、前記スライドロッド１９が右側の前記固定ブロック１２と固定的に連結され、前記スライドブロック１７の右側端面と前記スライド溝１４の右側内壁との間には第一バネ１８が固定的に取り付けられ、前記第二画板１１の底部端面には補助板５６が固定的に取り付けられ、前記補助板５６の中には連結溝２７が設置され、前記連結溝２７の下方には挿入溝２９が連通するように設置され、前記挿入溝２９の下方には移動溝２０が連通するように設置され、左右の前記移動溝２０の間には移動ブロック２８がスライドできるように取り付けられ、前記移動ブロック２８の中にはバネチャンバ１５が左右対称的に設置され、前記バネチャンバ１５の中には推し動かしブロック２１がスライドできるように取り付けられ、前記推し動かしブロック２１が前記固定ブロック１２と当接しており、前記推し動かしブロック２１と前記バネチャンバ１５との間には第二バネ１６が固定的に取り付けられ、前記移動ブロック２８の頂部端面には補助ブロック５２が固定的に取り付けられ、前記補助ブロック５２が前記第二固定板５１と固定的に連結され、第一画板２４を推し動かして下方へ移動させる時、最初に左右の第二画板１１を引き動かして互いに離れさせ、その後、第一画板２４を推し動かして下方へ移動させ、次に左右の第二画板１１を推し動かして互いに近づかせ、この時、推し動かしブロック２１がバネチャンバ１５の中でスライドし、第一引っ掛かりブロック２６が第二引っ掛かり溝２２の中に引っ掛かった時、前記補助ブロック５２が左右の挿入溝２９に囲まれ、第一画板２４が連結溝２７の中でスライドする。
【００１４】
前記置き機構８０は左側の前記第二画板１１の前側端面に固定的に取り付けられた置き箱３１を含み、前記置き箱３１の中には第一置きチャンバ３２が設置され、前記第一置きチャンバ３２の中には拭き取りブロック３０が置かれており、前記拭き取りブロック３０の前側端面と前記第一置きチャンバ３２の前側内壁との間には第一縄３３が固定的に取り付けられ、前記第一置きチャンバ３２の右側には第二置きチャンバ３５が設置され、前記第二置きチャンバ３５の中には絵筆３６が置かれており、前記絵筆３６の前側端面と前記第二置きチャンバ３５の前側内壁との間には第二縄３４が固定的に取り付けられ、拭き取りブロック３０と絵筆３６を使用する時、置き箱３１の中から取り出せば良い。
【００１５】
前記傾斜機構９０はまた前記噛み合いチャンバ３７の下方に設置された移動チャンバ４６を含み、前記移動チャンバ４６の中にはネジ山ブロック４３がスライドできるように取り付けられ、前記ネジ山ブロック４３の中には上方に開口したネジ穴４７が設置され、前記噛み合いチャンバ３７と前記移動チャンバ４６との間にはネジロッド４２が回転できるように取り付けられ、前記ネジロッド４２が前記ネジ穴４７とネジ山によって取り付けられ、前記ネジロッド４２の頂部端面には第一ベベルギヤ４１が固定的に取り付けられ、前記つまみロッド３９の前側端面には第二ベベルギヤ３８が固定的に取り付けられ、前記第二ベベルギヤ３８が前記第一ベベルギヤ４１と噛み合っており、前記固定ブロック１２の底部端面には定位溝５５が設置され、前記定位溝５５の中には定位ブロック４５が設置され、前記定位ブロック４５と前記ネジ山ブロック４３との間にはヒンジロッド４４がヒンジによって取り付けられ、第二画板１１の傾斜角度を調整する時、つまみ４０を回してつまみロッド３９と第二ベベルギヤ３８とを回転連動させ、第二ベベルギヤ３８が第一ベベルギヤ４１との噛み合いによってネジロッド４２を回転連動させ、ネジロッド４２が回転してネジ山ブロック４３を推し動かして下方へ移動させ、定位ブロック４５がテーブルに置かれたため、ネジ山ブロック４３が動けなくなり、それによって固定ブロック１２が上方へ移動し、更に第二画板１１の傾斜角度を調整する。
【００１６】
使用の時、第一画板２４を推し動かして下方へ移動させる時、最初に左右の第二画板１１を引き動かして互いに離れさせ、その後、第一画板２４を推し動かして下方へ移動させ、次に左右の第二画板１１を推し動かして互いに近づかせ、この時、推し動かしブロック２１がバネチャンバ１５の中でスライドし、第一引っ掛かりブロック２６が第二引っ掛かり溝２２の中に引っ掛かった時、補助ブロック５２が左右の挿入溝２９に囲まれ、第一画板２４が連結溝２７の中でスライドし、そして第一引っ掛かりブロック２６が第二引っ掛かり溝２２の中に引っ掛かり、左右の第二画板１１が比較的に小さい画板を形成し、第一引っ掛かりブロック２６が第一引っ掛かり溝２５の中に引っ掛かり、また第二引っ掛かりブロック２３が第二引っ掛かり溝２２の中に引っ掛かった時、左右の第二画板１１と第一画板２４とが大きな画板を形成し、拭き取りブロック３０と絵筆３６を使用する時、置き箱３１の中から取り出せばよく、第二画板１１の傾斜角度を調整する時、つまみ４０を回してつまみロッド３９と第二ベベルギヤ３８とを回転連動させ、第二ベベルギヤ３８が第一ベベルギヤ４１との噛み合いによってネジロッド４２を回転連動させ、ネジロッド４２が回転してネジ山ブロック４３を推し動かして下方へ移動させ、定位ブロック４５がテーブルに置かれたため、ネジ山ブロック４３が動けなくなり、それによって固定ブロック１２が上方へ移動し、更に第二画板１１の傾斜角度を調整する。
【００１７】
本発明の有益な効果は：本発明は図画用具を置き機構の中に置くことができ、それによって図画用具をなくすことを防止でき、また画板の大きさを調整することは第一画板の昇降によって実現されることができ、画板を貯蔵する時、画板に占められるスペースを減少し、傾斜機構によって画板の傾斜角度を調整することもでき、普及する価値がある。
【００１８】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【図１】
2020183096.tif 000003
【図２】
2020183096.tif 000004
【図３】
2020183096.tif 000005
【図４】
2020183096.tif 000006
【手続補正書】
【提出日】令和1年9月19日(2019.9.19)
【手続補正１】
【補正対象書類名】特許請求の範囲
【補正対象項目名】全文
【補正方法】変更
【補正の内容】
【特許請求の範囲】
【請求項１】
正面視で、第一画板を含み、前記第一画板の左側端面には左方に開口した第一引っ掛かり溝が設置され、前記第一画板の右側端面には第二引っ掛かりブロックが固定的に取り付けられ、前記第一画板の左右両側には第二画板が設置され、前記第二画板の底部端面には固定ブロックが固定的に取り付けられ、左側の前記第二画板の右側端面には第一引っ掛かりブロックが固定的に取り付けられ、前記第一引っ掛かりブロックは前記第一引っ掛かり溝の中に引っ掛かることができ、右側の前記第二画板の左側端面の中には左方に開口した第二引っ掛かり溝が設置され、前記第二引っ掛かりブロックは前記第二引っ掛かり溝の中に引っ掛かることができ、前記第一引っ掛かりブロックが前記第一引っ掛かり溝の中に引っ掛かっており、かつ前記第二引っ掛かりブロックが前記第二引っ掛かり溝の中に引っ掛かった時、左右の前記第二画板と前記第一画板とが一つの大きな画板を形成し、前記第一引っ掛かりブロックも前記第二引っ掛かり溝の中に引っ掛かることができ、左右の前記第二画板が互いに小さな画板を形成し、前記第一画板の下方には前記第一画板の昇降を制御できる昇降機構が設置され、前記昇降機構は前記第一画板の底部端面に固定的に取り付けられた第一固定板を含み、前記第一固定板の下方には補助ロッドが設置され、前記補助ロッドには回転ロッドが前後対称的に回転できるように取り付けられ、前記回転ロッドのうち前記補助ロッドの両側に位置しているところには回転チャンバが設置され、前記回転チャンバの中には移動ロッドがスライドできるように取り付けられ、上側の前記移動ロッドが前記第一固定板とヒンジで取り付けられ、下側の前記移動ロッドには第二固定板がヒンジで取り付けられ、前記第一画板の位置の高さを調整する時、前記移動ロッドが前記回転チャンバの中でスライドし、前後の前記回転ロッドの回転が前記第一画板の昇降を制御し、左側の前記第二画板の前側には図画用具を置くことができる置き機構が設置され、前記固定ブロックの中には前記第二画板の傾斜角度を調整できる傾斜機構が設置され、前記傾斜機構は前記固定ブロックの中に設置された噛み合いチャンバを含み、前記噛み合いチャンバの後側内壁の中には前記固定ブロックの後側端面を貫通しているつまみロッドが回転できるように取り付けられ、前記つまみロッドの後側端面にはつまみが固定的に取り付けられ、前記つまみを回すことによって前記第二画板の傾斜角度を調整することを特徴とする家庭用子供の画板。
【請求項２】
前記昇降機構は左側の前記固定ブロックに固定的に取り付けられた連結ブロックを含み、前記連結ブロックの中にはスライド溝が設置され、前記スライド溝の中にはスライドブロックがスライドできるように取り付けられ、前記スライドブロックの右側端面にはスライドロッドが固定的に取り付けられ、前記スライドロッドが右側の前記固定ブロックと固定的に連結され、前記スライドブロックの右側端面と前記スライド溝の右側内壁との間には第一バネが固定的に取り付けられ、前記第二画板の底部端面には補助板が固定的に取り付けられ、前記補助板の中には連結溝が設置され、前記連結溝の下方には挿入溝が連通するように設置され、前記挿入溝の下方には移動溝が連通するように設置され、左右の前記移動溝の間には前記補助板のスライド方向を規制する移動ブロックが取り付けられ、前記移動ブロックの中にはバネチャンバが左右対称的に設置され、前記バネチャンバの中には推し動かしブロックがスライドできるように取り付けられ、前記推し動かしブロックが前記固定ブロックと当接しており、前記推し動かしブロックと前記バネチャンバとの間には第二バネが固定的に取り付けられ、前記移動ブロックの頂部端面には補助ブロックが固定的に取り付けられ、前記補助ブロックが前記第二固定板と固定的に連結されていることを特徴とする請求項１に記載の家庭用子供の画板。
【請求項３】
前記置き機構は左側の前記第二画板の前側端面に固定的に取り付けられた置き箱を含み、前記置き箱の中には第一置きチャンバが設置され、前記第一置きチャンバの中には拭き取りブロックが置かれており、前記拭き取りブロックの前側端面と前記第一置きチャンバの前側内壁との間には第一縄が固定的に取り付けられ、前記第一置きチャンバの右側には第二置きチャンバが設置され、前記第二置きチャンバの中には絵筆が置かれており、前記絵筆の前側端面と前記第二置きチャンバの前側内壁との間には第二縄が固定的に取り付けられていることを特徴とする請求項１に記載の家庭用子供の画板。
【請求項４】
前記傾斜機構は前記噛み合いチャンバの下方に設置された移動チャンバを含み、前記移動チャンバの中にはネジ山ブロックがスライドできるように取り付けられ、前記ネジ山ブロックの中には上方に開口したネジ穴が設置され、前記噛み合いチャンバと前記移動チャンバとの間にはネジロッドが回転できるように取り付けられ、前記ネジロッドが前記ネジ穴とネジ山によって取り付けられ、前記ネジロッドの頂部端面には第一ベベルギヤが固定的に取り付けられ、前記つまみロッドの前側端面には第二ベベルギヤが固定的に取り付けられ、前記第二ベベルギヤが前記第一ベベルギヤと噛み合っており、前記固定ブロックの底部端面には定位溝が設置され、前記定位溝の中には定位ブロックが設置され、前記定位ブロックと前記ネジ山ブロックとの間にはヒンジロッドがヒンジによって取り付けられていることを特徴とする請求項１に記載の家庭用子供の画板。
【手続補正２】
【補正対象書類名】明細書
【補正対象項目名】全文
【補正方法】変更
【補正の内容】
【発明の詳細な説明】
【技術分野】
【０００１】
本発明は文具分野に関わり、具体的には家庭用子供の画板である。
【背景技術】
【０００２】
普通の家庭用子供の画板は大きさを調整することができなく、それで画板を貯蔵する時、画板に占められるスペースを減少できなく、また普通の画板を使う時、画板の角度を調整するのは難しく、その他、普通の画板が図画用具を置くところはないため、図画用具をなくす可能性がある。
【先行技術文献】
【特許文献】
【０００３】
【特許文献１】中国特許出願公開第１０６７３９７６１号明細書
【発明の概要】
【発明が解決しようとする課題】
【０００４】
本発明は家庭用子供の画板を提供し、既存技術にある上記欠点を解消することを目的とする。
【課題を解決するための手段】
【０００５】
本発明の実施例の家庭用子供の画板は、第一画板を含み、前記第一画板の左側端面には左方に開口した第一引っ掛かり溝が設置され、前記第一画板の右側端面には第二引っ掛かりブロックが固定的に取り付けられ、前記第一画板の左右両側には第二画板が設置され、前記第二画板の底部端面には固定ブロックが固定的に取り付けられ、左側の前記第二画板の右側端面には第一引っ掛かりブロックが固定的に取り付けられ、前記第一引っ掛かりブロックは前記第一引っ掛かり溝の中に引っ掛かることができ、右側の前記第二画板の左側端面の中には左方に開口した第二引っ掛かり溝が設置され、前記第二引っ掛かりブロックは前記第二引っ掛かり溝の中に引っ掛かることができ、前記第一引っ掛かりブロックが前記第一引っ掛かり溝の中に引っ掛かっており、かつ前記第二引っ掛かりブロックが前記第二引っ掛かり溝の中に引っ掛かった時、左右の前記第二画板と前記第一画板とが一つの大きな画板を形成し、前記第一引っ掛かりブロックも前記第二引っ掛かり溝の中に引っ掛かることができ、左右の前記第二画板が互いに小さな画板を形成し、前記第一画板の下方には前記第一画板の昇降を制御できる昇降機構が設置され、前記昇降機構は前記第一画板の底部端面に固定的に取り付けられた第一固定板を含み、前記第一固定板の下方には補助ロッドが設置され、前記補助ロッドには回転ロッドが前後対称的に回転できるように取り付けられ、前記回転ロッドのうち前記補助ロッドの両側に位置しているところには回転チャンバが設置され、前記回転チャンバの中には移動ロッドがスライドできるように取り付けられ、上側の前記移動ロッドが前記第一固定板とヒンジで取り付けられ、下側の前記移動ロッドには第二固定板がヒンジで取り付けられ、前記第一画板の位置の高さを調整する時、前記移動ロッドが前記回転チャンバの中でスライドし、前後の前記回転ロッドの回転が前記第一画板の昇降を制御し、左側の前記第二画板の前側には図画用具を置くことができる置き機構が設置され、前記固定ブロックの中には前記第二画板の傾斜角度を調整できる傾斜機構が設置され、前記傾斜機構は前記固定ブロックの中に設置された噛み合いチャンバを含み、前記噛み合いチャンバの後側内壁の中には前記固定ブロックの後側端面を貫通しているつまみロッドが回転できるように取り付けられ、前記つまみロッドの後側端面にはつまみが固定的に取り付けられ、前記つまみを回すことによって前記第二画板の傾斜角度を調整する。
【０００６】
さらなる技術プランには、前記昇降機構は左側の前記固定ブロックに固定的に取り付けられた連結ブロックを含み、前記連結ブロックの中にはスライド溝が設置され、前記スライド溝の中にはスライドブロックがスライドできるように取り付けられ、前記スライドブロックの右側端面にはスライドロッドが固定的に取り付けられ、前記スライドロッドが右側の前記固定ブロックと固定的に連結され、前記スライドブロックの右側端面と前記スライド溝の右側内壁との間には第一バネが固定的に取り付けられ、前記第二画板の底部端面には補助板が固定的に取り付けられ、前記補助板の中には連結溝が設置され、前記連結溝の下方には挿入溝が連通するように設置され、前記挿入溝の下方には移動溝が連通するように設置され、左右の前記移動溝の間には前記補助板のスライド方向を規制する移動ブロックが取り付けられ、前記移動ブロックの中にはバネチャンバが左右対称的に設置され、前記バネチャンバの中には推し動かしブロックがスライドできるように取り付けられ、前記推し動かしブロックが前記固定ブロックと当接しており、前記推し動かしブロックと前記バネチャンバとの間には第二バネが固定的に取り付けられ、前記移動ブロックの頂部端面には補助ブロックが固定的に取り付けられ、前記補助ブロックが前記第二固定板と固定的に連結されている。
【０００７】
さらなる技術プランには、前記置き機構は左側の前記第二画板の前側端面に固定的に取り付けられた置き箱を含み、前記置き箱の中には第一置きチャンバが設置され、前記第一置きチャンバの中には拭き取りブロックが置かれており、前記拭き取りブロックの前側端面と前記第一置きチャンバの前側内壁との間には第一縄が固定的に取り付けられ、前記第一置きチャンバの右側には第二置きチャンバが設置され、前記第二置きチャンバの中には絵筆が置かれており、前記絵筆の前側端面と前記第二置きチャンバの前側内壁との間には第二縄が固定的に取り付けられている。
【０００８】
さらなる技術プランには、前記傾斜機構は前記噛み合いチャンバの下方に設置された移動チャンバを含み、前記移動チャンバの中にはネジ山ブロックがスライドできるように取り付けられ、前記ネジ山ブロックの中には上方に開口したネジ穴が設置され、前記噛み合いチャンバと前記移動チャンバとの間にはネジロッドが回転できるように取り付けられ、前記ネジロッドが前記ネジ穴とネジ山によって取り付けられ、前記ネジロッドの頂部端面には第一ベベルギヤが固定的に取り付けられ、前記つまみロッドの前側端面には第二ベベルギヤが固定的に取り付けられ、前記第二ベベルギヤが前記第一ベベルギヤと噛み合っており、前記固定ブロックの底部端面には定位溝が設置され、前記定位溝の中には定位ブロックが設置され、前記定位ブロックと前記ネジ山ブロックとの間にはヒンジロッドがヒンジによって取り付けられている。
【発明の効果】
【０００９】
本発明の有益な効果は：本発明は図画用具を置き機構の中に置くことができ、それによって図画用具をなくすことを防止でき、また画板の大きさを調整することは第一画板の昇降によって実現されることができ、画板を貯蔵する時、画板に占められるスペースを減少し、傾斜機構によって画板の傾斜角度を調整することもでき、普及する価値がある。
【図面の簡単な説明】
【００１０】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の構成概略図
【図２】図２は図１の中のＡ―Ａ方向の断面構成概略図
【図３】図３は図１の中のＢ―Ｂ方向の断面構成概略図
【図４】図４は図１の中のＣのところの拡大概略図
【発明を実施するための形態】
【００１２】
図１〜４を参照し、本発明の実施例の家庭用子供の画板は、第一画板２４を含み、前記第一画板２４の左側端面には左方に開口した第一引っ掛かり溝２５が設置され、前記第一画板２４の右側端面には第二引っ掛かりブロック２３が固定的に取り付けられ、前記第一画板２４の左右両側には第二画板１１が設置され、前記第二画板１１の底部端面には固定ブロック１２が固定的に取り付けられ、左側の前記第二画板１１の右側端面には第一引っ掛かりブロック２６が固定的に取り付けられ、前記第一引っ掛かりブロック２６は前記第一引っ掛かり溝２５の中に引っ掛かることができ、右側の前記第二画板１１の左側端面の中には左方に開口した第二引っ掛かり溝２２が設置され、前記第二引っ掛かりブロック２３は前記第二引っ掛かり溝２２の中に引っ掛かることができ、前記第一引っ掛かりブロック２６が前記第一引っ掛かり溝２５の中に引っ掛かっており、かつ前記第二引っ掛かりブロック２３が前記第二引っ掛かり溝２２の中に引っ掛かった時、左右の前記第二画板１１と前記第一画板２４とが一つの大きな画板を形成し、前記第一引っ掛かりブロック２６も前記第二引っ掛かり溝２２の中に引っ掛かることができ、左右の前記第二画板１１が互いに比較的に小さな画板を形成し、前記第一画板２４の下方には前記第一画板２４の昇降を制御できる昇降機構７０が設置され、前記昇降機構７０は前記第一画板２４の底部端面に固定的に取り付けられた第一固定板５４を含み、前記第一固定板５４の下方には補助ロッド５３が設置され、前記補助ロッド５３には回転ロッド４８が前後対称的に回転できるように取り付けられ、前記回転ロッド４８のうち前記補助ロッド５３の両側に位置しているところには回転チャンバ４９が設置され、前記回転チャンバ４９の中には移動ロッド５０がスライドできるように取り付けられ、上側の前記移動ロッド５０が前記第一固定板５４とヒンジで取り付けられ、下側の前記移動ロッド５０には第二固定板５１がヒンジで取り付けられ、前記第一画板２４の位置の高さを調整する時、前記移動ロッド５０が前記回転チャンバ４９の中でスライドし、前後の前記回転ロッド４８の回転が前記第一画板２４の昇降を制御し、左側の前記第二画板１１の前側には図画用具を置くことができる置き機構８０が設置され、前記固定ブロック１２の中には前記第二画板１１の傾斜角度を調整できる傾斜機構９０が設置され、前記傾斜機構９０は前記固定ブロック１２の中に設置された噛み合いチャンバ３７を含み、前記噛み合いチャンバ３７の後側内壁の中には前記固定ブロック１２の後側端面を貫通しているつまみロッド３９が回転できるように取り付けられ、前記つまみロッド３９の後側端面にはつまみ４０が固定的に取り付けられ、前記つまみ４０を回すことによって前記第二画板１１の傾斜角度を調整する。
【００１３】
前記昇降機構７０は左側の前記固定ブロック１２に固定的に取り付けられた連結ブロック１３を含み、前記連結ブロック１３の中にはスライド溝１４が設置され、前記スライド溝１４の中にはスライドブロック１７がスライドできるように取り付けられ、前記スライドブロック１７の右側端面にはスライドロッド１９が固定的に取り付けられ、前記スライドロッド１９が右側の前記固定ブロック１２と固定的に連結され、前記スライドブロック１７の右側端面と前記スライド溝１４の右側内壁との間には第一バネ１８が固定的に取り付けられ、前記第二画板１１の底部端面には補助板５６が固定的に取り付けられ、前記補助板５６の中には連結溝２７が設置され、前記連結溝２７の下方には挿入溝２９が連通するように設置され、前記挿入溝２９の下方には移動溝２０が連通するように設置され、左右の前記移動溝２０の間には前記補助板５６のスライド方向を規制する移動ブロック２８が取り付けられ、前記移動ブロック２８の中にはバネチャンバ１５が左右対称的に設置され、前記バネチャンバ１５の中には推し動かしブロック２１がスライドできるように取り付けられ、前記推し動かしブロック２１が前記固定ブロック１２と当接しており、前記推し動かしブロック２１と前記バネチャンバ１５との間には第二バネ１６が固定的に取り付けられ、前記移動ブロック２８の頂部端面には補助ブロック５２が固定的に取り付けられ、前記補助ブロック５２が前記第二固定板５１と固定的に連結され、第一画板２４を推し動かして下方へ移動させる時、最初に左右の第二画板１１を引き動かして互いに離れさせ、その後、第一画板２４を推し動かして下方へ移動させ、次に左右の第二画板１１を推し動かして互いに近づかせ、この時、推し動かしブロック２１がバネチャンバ１５の中でスライドし、第一引っ掛かりブロック２６が第二引っ掛かり溝２２の中に引っ掛かった時、前記補助ブロック５２が左右の挿入溝２９に囲まれ、第一画板２４が連結溝２７の中でスライドする。
【００１４】
前記置き機構８０は左側の前記第二画板１１の前側端面に固定的に取り付けられた置き箱３１を含み、前記置き箱３１の中には第一置きチャンバ３２が設置され、前記第一置きチャンバ３２の中には拭き取りブロック３０が置かれており、前記拭き取りブロック３０の前側端面と前記第一置きチャンバ３２の前側内壁との間には第一縄３３が固定的に取り付けられ、前記第一置きチャンバ３２の右側には第二置きチャンバ３５が設置され、前記第二置きチャンバ３５の中には絵筆３６が置かれており、前記絵筆３６の前側端面と前記第二置きチャンバ３５の前側内壁との間には第二縄３４が固定的に取り付けられ、拭き取りブロック３０と絵筆３６を使用する時、置き箱３１の中から取り出せば良い。
【００１５】
前記傾斜機構９０は前記噛み合いチャンバ３７の下方に設置された移動チャンバ４６を含み、前記移動チャンバ４６の中にはネジ山ブロック４３がスライドできるように取り付けられ、前記ネジ山ブロック４３の中には上方に開口したネジ穴４７が設置され、前記噛み合いチャンバ３７と前記移動チャンバ４６との間にはネジロッド４２が回転できるように取り付けられ、前記ネジロッド４２が前記ネジ穴４７とネジ山によって取り付けられ、前記ネジロッド４２の頂部端面には第一ベベルギヤ４１が固定的に取り付けられ、前記つまみロッド３９の前側端面には第二ベベルギヤ３８が固定的に取り付けられ、前記第二ベベルギヤ３８が前記第一ベベルギヤ４１と噛み合っており、前記固定ブロック１２の底部端面には定位溝５５が設置され、前記定位溝５５の中には定位ブロック４５が設置され、前記定位ブロック４５と前記ネジ山ブロック４３との間にはヒンジロッド４４がヒンジによって取り付けられ、第二画板１１の傾斜角度を調整する時、つまみ４０を回してつまみロッド３９と第二ベベルギヤ３８とを回転連動させ、第二ベベルギヤ３８が第一ベベルギヤ４１との噛み合いによってネジロッド４２を回転連動させ、ネジロッド４２が回転してネジ山ブロック４３を推し動かして下方へ移動させ、定位ブロック４５がテーブルに置かれたため、ネジ山ブロック４３が動けなくなり、それによって固定ブロック１２が上方へ移動し、更に第二画板１１の傾斜角度を調整する。
【００１６】
使用の時、第一画板２４を推し動かして下方へ移動させる時、最初に左右の第二画板１１を引き動かして互いに離れさせ、その後、第一画板２４を推し動かして下方へ移動させ、次に左右の第二画板１１を推し動かして互いに近づかせ、この時、推し動かしブロック２１がバネチャンバ１５の中でスライドし、第一引っ掛かりブロック２６が第二引っ掛かり溝２２の中に引っ掛かった時、補助ブロック５２が左右の挿入溝２９に囲まれ、第一画板２４が連結溝２７の中でスライドし、そして第一引っ掛かりブロック２６が第二引っ掛かり溝２２の中に引っ掛かり、左右の第二画板１１が比較的に小さい画板を形成し、第一引っ掛かりブロック２６が第一引っ掛かり溝２５の中に引っ掛かり、また第二引っ掛かりブロック２３が第二引っ掛かり溝２２の中に引っ掛かった時、左右の第二画板１１と第一画板２４とが大きな画板を形成し、拭き取りブロック３０と絵筆３６を使用する時、置き箱３１の中から取り出せばよく、第二画板１１の傾斜角度を調整する時、つまみ４０を回してつまみロッド３９と第二ベベルギヤ３８とを回転連動させ、第二ベベルギヤ３８が第一ベベルギヤ４１との噛み合いによってネジロッド４２を回転連動させ、ネジロッド４２が回転してネジ山ブロック４３を推し動かして下方へ移動させ、定位ブロック４５がテーブルに置かれたため、ネジ山ブロック４３が動けなくなり、それによって固定ブロック１２が上方へ移動し、更に第二画板１１の傾斜角度を調整する。
【００１７】
本発明の有益な効果は：本発明は図画用具を置き機構の中に置くことができ、それによって図画用具をなくすことを防止でき、また画板の大きさを調整することは第一画板の昇降によって実現されることができ、画板を貯蔵する時、画板に占められるスペースを減少し、傾斜機構によって画板の傾斜角度を調整することもでき、普及する価値がある。
【００１８】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。